【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
吸入したエアを使用者側に送出可能な送風装置であって、
駆動モータと、前記駆動モータの回転に伴い回転される羽根部と、を有し、所定の第１領域からエアを吸入するとともに、前記第１領域とは離間した領域である第２領域へとエアを送出するように構成され、
前記送風装置は、さらに排出ダクト部を有し、
前記排出ダクト部は、前記第２領域に臨む排出口を有することを特徴とする送風装置。
【請求項２】
請求項１に記載された送風装置であって、
前記駆動モータと前記羽根部とを収容する本体部を有し、
前記本体部は、エアを排出する開口部を有し、
前記排出ダクト部は、前記本体部の前記開口部に対して着脱自在に構成されることを特徴とする送風装置。
【請求項３】
請求項２に記載された送風装置であって、
前記本体部の前記開口部は、前記送風装置を使用者に取り付けた状態において使用者の頭側となるよう構成されることを特徴とする送風装置。
【請求項４】
請求項１〜３のいずれか１項に記載された送風装置であって、
前記本体部は、使用者の背側に取り付けられるよう構成されることを特徴とする送風装置。
【請求項５】
請求項１〜４のいずれか１項に記載された送風装置であって、
前記本体部が使用者に取り付けられた状態で使用者が上着を着用した場合、前記本体部が前記上着の外側に位置するとともに、前記排出ダクト部が前記上着の内側に位置するよう構成されることを特徴とする送風装置。
【請求項６】
請求項１〜４のいずれか１項に記載された送風装置であって、
前記本体部が使用者に取り付けられた状態で使用者が上着を着用した場合、前記本体部が前記上着の内側に位置するよう構成されることを特徴とする送風装置。
【請求項７】
請求項１〜６のいずれか１項に記載された送風装置であって、
前記羽根部は、前記羽根部の回転軸が使用者の前後方向へ向かい延在するよう構成されることを特徴とする送風装置。
【請求項８】
請求項１〜７のいずれか１項に記載された送風装置であって、
前記排出ダクト部は、蛇腹構造を有することを特徴とする送風装置。
【請求項９】
請求項１〜８のいずれか１項に記載された送風装置であって、
前記排出ダクト部は、第１延在部と、第２延在部と、前記第１延在部と前記第２延在部とを連結する連結部とを有し、
前記連結部は、前記回転軸方向に亘り延在することを特徴とする送風装置。
【請求項１０】
請求項１〜９のいずれか１項に記載された送風装置であって、
前記本体部が使用者に取り付けられた状態において、前記排出口が、使用者の首周りに向けて配置されるよう構成されることを特徴とする送風装置。
【請求項１１】
請求項１〜１０のいずれか１項に記載された送風装置であって、
使用者の衣服に取り付けられるベルトに保持される保持部を有することを特徴とする送風装置。
【請求項１２】
請求項１１に記載された送風装置であって、
前記保持部は、使用者のベルトを挟持するよう構成されることを特徴とする送風装置。
【請求項１３】
請求項１１に記載された送風装置であって、
前記保持部は、使用者のベルトを挿通するよう構成された貫通孔部を有することを特徴とする送風装置。
【請求項１４】
請求項１〜１０のいずれか１項に記載された送風装置であって、
使用者に着用される環状部と、前記環状部に接続されるとともに使用者に対して前記環状部を支持する支持部とを有する固定具と、
前記固定具に前記本体部を保持するための保持部と、を有することを特徴とする送風装置。
【請求項１５】
請求項１４に記載された送風装置であって、
前記環状部は、使用者の胴体の周囲に延在するよう構成されることを特徴とする送風装置。
【請求項１６】
請求項１４または１５のいずれか１項に記載された送風装置であって、
前記支持部は、前記環状部における所定の環状部第１領域と、前記環状部第１領域とは異なる環状部第２領域とに接続され、
前記固定具を使用者が着用した状態においては、前記支持部が使用者の肩部を経由するとともに、前記環状部が使用者の周囲における所定領域を包囲するよう構成されることを特徴とする送風装置。
【請求項１７】
請求項１〜１６のいずれか１項に記載された送風装置であって、
前記駆動モータを駆動するためのバッテリを有することを特徴とする送風装置。
【請求項１８】
請求項１７に記載された送風装置であって、
前記バッテリが着脱されるバッテリ受部を有することを特徴とする送風装置。
【請求項１９】
吸入したエアを使用者側に送出可能な送風装置であって、
駆動モータと、前記駆動モータの回転に伴い回転される羽根部と、を有し、所定の第１領域からエアを吸入するとともに、前記第１領域とは離間した領域である第２領域へとエアを送出するように構成され、
前記駆動モータは、ブラシレスモータにより構成されることを特徴とする送風装置。
【請求項２０】
送風装置であって、
駆動モータと、
前記駆動モータによって回転される羽根部と、
前記駆動モータおよび前記羽根部を収容する本体部と、を有し、
前記本体部は、
前記羽根部の回転に伴いエアを吸入する開放部と、
使用者のベルトに保持可能に構成された保持部と、
前記開放部から取り込まれたエアを排出する排出口を備える排出ダクト部と、を有し、
上着を装着した状態の使用者の前記ベルトに前記保持部が保持された場合、前記開放部が前記上着の外側に配置され、前記排出口が前記上着の内側に配置されるよう構成されることを特徴とする送風装置。
【請求項２１】
送風装置であって、
使用者の両肩にそれぞれ配置される一対の支持部と、前記支持部に連結される環状部と、を有する固定具と、
前記固定具に取り付けられた一方の送風装置および他方の送風装置と、を有し、
前記一方の送風装置は、一方の羽根部を収容するよう構成され、
前記他方の送風装置は、他方の羽根部を収容するよう構成されることを特徴とする送風装置。
【手続補正２】
【補正対象書類名】明細書
【補正対象項目名】全文
【補正方法】変更
【補正の内容】
【発明の詳細な説明】
【発明の名称】送風装置
【技術分野】
【０００１】
本発明は、使用者にエアを送出するための送風装置に関する。
【背景技術】
【０００２】
使用者にエアを送出するための送風装置を取り付ける合羽が、実開昭６４−３０３０８号公報に開示されている。当該文献に開示された合羽は、エアの吸入領域を外部に露出するための孔を有していた。
一方、当該文献に記載された技術においては、合羽および送風装置の構造や、使用者に対する送風領域など、総合的な送風装置全体に係る構造につきさらに工夫を行う必要があった。
【先行技術文献】
【特許文献】
【０００３】
【特許文献１】実開昭６４−３０３０８号公報
【発明の概要】
【発明が解決しようとする課題】
【０００４】
本発明は、このような点に鑑みて創案されたものであり、使用者にエアを送出するための送風装置において、一層合理的な技術を提供することを目的とする。
【課題を解決するための手段】
【０００５】
上記課題を解決するため、本発明に係る送風装置は、吸入したエアを使用者側に送出可能な送風装置であって、駆動モータと、駆動モータの回転に伴い回転される羽根部と、を有し、所定の第１領域からエアを吸入するとともに、第１領域とは離間した領域である第２領域へとエアを送出するように構成される。送風装置は、さらに排出ダクト部を有し、排出ダクト部は、第２領域に臨む排出口を有する。
【０００６】
本発明に係る送風装置のさらなる形態によれば、送風装置は、駆動モータと羽根部とを収容する本体部を有する。本体部は、エアを排出する開口部を有する。排出ダクト部は、本体部の開口部に対して着脱自在に構成される。
【０００７】
本発明に係る送風装置のさらなる形態によれば、本体部の開口部は、送風装置を使用者に取り付けた状態において使用者の頭側となるよう構成される。
【０００８】
本発明に係る送風装置のさらなる形態によれば、本体部は、使用者の背側に取り付けられるよう構成される。
【０００９】
本発明に係る送風装置のさらなる形態によれば、本体部が使用者に取り付けられた状態で使用者が上着を着用した場合、本体部が上着の外側に位置するとともに、排出ダクト部が上着の内側に位置するよう構成される。
【００１０】
本発明に係る送風装置のさらなる形態によれば、本体部が使用者に取り付けられた状態で使用者が上着を着用した場合、本体部が上着の内側に位置するよう構成される。
【００１１】
本発明に係る送風装置のさらなる形態によれば、羽根部は、羽根部の回転軸が使用者の前後方向へ向かい延在するよう構成される。
【００１２】
本発明に係る送風装置のさらなる形態によれば、排出ダクト部は、蛇腹構造を有する。
【００１３】
本発明に係る送風装置のさらなる形態によれば、排出ダクト部は、第１延在部と、第２延在部と、第１延在部と第２延在部とを連結する連結部とを有する。連結部は、回転軸方向に亘り延在する。
【００１４】
本発明に係る送風装置のさらなる形態によれば、本体部が使用者に取り付けられた状態において、排出口が、使用者の首周りに向けて配置されるよう構成される。
【００１５】
本発明に係る送風装置のさらなる形態によれば、送風装置は、使用者の衣服に取り付けられるベルトに保持される保持部を有する。
【００１６】
本発明に係る送風装置のさらなる形態によれば、保持部は、使用者のベルトを挟持するよう構成される。
【００１７】
本発明に係る送風装置のさらなる形態によれば、保持部は、使用者のベルトを挿通するよう構成された貫通孔部を有する。
【００１８】
本発明に係る送風装置のさらなる形態によれば、送風装置は、使用者に着用される環状部と、環状部に接続されるとともに使用者に対して環状部を支持する支持部とを有する固定具と、固定具に本体部を保持するための保持部と、を有する。
【００１９】
本発明に係る送風装置のさらなる形態によれば、環状部は、使用者の胴体の周囲に延在するよう構成される。
【００２０】
本発明に係る送風装置のさらなる形態によれば、支持部は、環状部における所定の環状部第１領域と、環状部第１領域とは異なる環状部第２領域とに接続される。固定具を使用者が着用した状態においては、支持部が使用者の肩部を経由するとともに、環状部が使用者の周囲における所定領域を包囲するよう構成される。
【００２１】
本発明に係る送風装置のさらなる形態によれば、送風装置は、駆動モータを駆動するためのバッテリを有する。
【００２２】
本発明に係る送風装置のさらなる形態によれば、送風装置は、バッテリが着脱されるバッテリ受部を有する。
【００２３】
上記課題を解決するため、本発明に係る送風装置は、吸入したエアを使用者側に送出可能な送風装置であって、駆動モータと、駆動モータの回転に伴い回転される羽根部と、を有し、所定の第１領域からエアを吸入するとともに、第１領域とは離間した領域である第２領域へとエアを送出するように構成される。駆動モータは、ブラシレスモータにより構成される。
【００２４】
上記課題を解決するため、本発明に係る送風装置は、駆動モータと、駆動モータによって回転される羽根部と、駆動モータおよび羽根部を収容する本体部と、を有する。本体部は、羽根部の回転に伴いエアを吸入する開放部と、使用者のベルトに保持可能に構成された保持部と、開放部から取り込まれたエアを排出する排出口を備える排出ダクト部と、を有する。上着を装着した状態の使用者のベルトに保持部が保持された場合、開放部が上着の外側に配置され、排出口が前記上着の内側に配置されるよう構成される。
【００２５】
上記課題を解決するため、本発明に係る送風装置は、使用者の両肩にそれぞれ配置される一対の支持部と、支持部に連結される環状部と、を有する固定具を有する。また送風装置は、固定具に取り付けられた一方の送風装置および他方の送風装置と、を有する。一方の送風装置は、一方の羽根部を収容するよう構成される。他方の送風装置は、他方の羽根部を収容するよう構成される。
ことを特徴とする送風装置。
【発明の効果】
【００２６】
本発明によれば、使用者にエアを送出するための送風装置において、一層合理的な技術を提供することが可能となる。
【図面の簡単な説明】
【００２７】
【図１】本発明の第１実施形態に係る送風装置の全体構成を示す説明図である。
【図２】バッテリの構成を示す説明図である。
【図３】第１実施形態に係る送風装置の斜視図である。
【図４】第１実施形態に係る送風装置の正面図である。
【図５】図４におけるＩ−Ｉ線断面図である。
【図６】図４におけるＩＩ−ＩＩ線断面図である。
【図７】本発明の第２実施形態に係る送風装置の全体構成を示す説明図である。
【図８】固定具の構成を示す説明図である。
【図９】第２実施形態に係る送風装置の斜視時である。
【図１０】第２実施形態に係る送風装置の正面図である。
【図１１】図１０におけるＩＩＩ−ＩＩＩ線断面図である。
【発明を実施するための形態】
【００２８】
（第１実施形態）
以下、本発明に係る第１実施形態につき、図１〜図６に基づき説明する。図１は、本発明の第１実施形態に係る送風装置１０１の使用状態を示す説明図である。送風装置１０１は２つ準備されるとともに、使用者３００の背側３１０における左右側に一つずつ取り付けられる。これにより、送風装置１０１は、十分な風量を確保できるとともに、使用者３００の作業の障害となることはない。一方、送風装置１０１は、単一とすることや、さらに複数個を設けることができる。また、送風装置１０１を使用者３００の腹側３２０に取り付けることも可能である。
送風装置１０１は、吸入したエアを使用者３００に送出するために、使用者３００のベルト５１０に装着される。ベルト５１０は、帯状に構成され、衣服４００に取り付けられた際には環状体を形成する。衣服４００は、上着４１０、パンツ４２０、下着４３０などを示す。第１実施形態において、ベルト５１０は衣服４００におけるパンツ４２０に取り付けられる。この送風装置１０１が、本発明に係る「送風装置」の一例であり、使用者３００が、本発明に係る「使用者」の一例であり、ベルト５１０が、本発明に係る「ベルト」の一例であり、衣服４００が、本発明に係る「衣服」の一例である。
【００２９】
図１に示す通り、パンツ４２０は、ベルト装着部４２１を有する。ベルト装着部４２１は、パンツ４２０の上縁領域に複数個配置された帯状体４２２により構成される。すなわち、ベルト装着部４２１は、パンツ４２０の上縁領域と、帯状体４２２との間に形成された空間を有し、当該空間にベルト５１０が挿通されることにより、ベルト５１０がパンツ４２０に取り付けられる。ベルト５１０は、送風装置１０１が固定される送風装置固定具５００を構成する。
ベルト５１０は、使用者３００に対して、パンツ４２０を固定する機能を有する。一方、ベルト５１０は、使用者３００に対するパンツ４２０の固定機能は有さずに、送風装置固定具５００としてのみ機能させることができる。図３〜図６に示す通り、送風装置１０１は、送風装置１０１をベルト５１０に装着するための保持部１４０を有する。保持部１４０の構成は、後述する。この保持部１４０が、本発明に係る「保持部」の一例である。
【００３０】
図１に示す通り、送風装置１０１は、駆動モータ１７０と、駆動モータ１７０の回転に伴い回転される羽根部１３０とを収容する。この駆動モータ１７０が本発明に係る「駆動モータ」の一例であり、羽根部１３０が、本発明に係る「羽根部」の一例である。駆動モータ１７０としては、ブラシレスモータが好適に使用される。羽根部１３０は、羽根部１３０が回転した場合において、羽根吸入領域１３０ａからエアを吸入し、羽根排出領域１３０ｂへとエアを排出するように構成される。なお、駆動モータ１７０と羽根部１３０の構造については便宜上、省略する。
【００３１】
送風装置１０１は、排出ダクト部１５０を有する。排出ダクト部１５０は、第１開口１５１と第２開口１５２とを有する。この排出ダクト部１５０が、本発明に係る「排出ダクト部」の一例であり、第２開口１５２が、本発明に係る「排出口」の一例である。
排出ダクト部１５０は、第１開口１５１が羽根排出領域１３０ｂに臨むように送風装置１０１に取り付けられる。よって、送風装置１０１は、羽根吸入領域１３０ａから吸入したエアを、羽根排出領域１３０ｂおよび第１開口１５１を経由して、第２開口１５２からダクト排出領域１５２ａへと排出する。第１実施形態に係る送風装置１０１においては、羽根吸入領域１３０ａが本発明に係る「第１領域」の一例であり、ダクト排出領域１５２ａが本発明に係る「第２領域」の一例である。
【００３２】
図１に示す通り、送風装置１０１は、使用者３００のベルト５１０に装着される。この状態において、使用者３００は上着４１０を着用する。これにより、羽根部１３０が上着４１０の外側に位置するとともに、排出ダクト部１５０は上着４１０の内側（使用者３００側）に位置する。送風装置１０１がこのように使用者３００に取り付けられるため、羽根吸入領域１３０ａは、使用者３００の腰部近傍に配置され、排出ダクト部１５０の第２開口１５２は、使用者３００の脇３４０へ向かい配置される。よって、送風装置１０１は、使用者３００の腰部近傍から取り込んだエアを、使用者３００の脇３４０へと送出することが可能である。
この意味において、送風装置１０１は、所定の第１領域（羽根吸入領域１３０ａ）からエアを吸入するとともに、第１領域（羽根吸入領域１３０ａ）とは離間した領域である第２領域（ダクト排出領域１５２ａ）へとエアを送出するように構成されているということができる。また、送風装置１０１の羽根部１３０は、第１領域（羽根吸入領域１３０ａ）側からエアを吸入するとともに、第２領域（ダクト排出領域１５２ａ）側へエアを送出するように構成されているということができる。
【００３３】
なお、第２開口１５２は、使用者３００が冷却を所望する箇所に向けることができる。例えば、送風装置１０１に対し、複数種類の排出ダクト１５０を着脱可能に形成することが可能である。この際、第２開口１５２が使用者３００の首回り３５０に向けられた構成を有する排出ダクト１５０を準備し、図１にて説明した排出ダクト１５０と交換することができる。
【００３４】
図１に示す通り、送風装置１０１の駆動モータ１７０は、バッテリ２００ａにより駆動される。バッテリ２００ａは汎用の電池を使用することが可能である。一方、使用者３００が建築現場の作業者である場合を想定することができる。この場合は、バッテリの入手容易性や、容量を考慮すると、送風装置１０１を駆動するバッテリとして、複数種類の電動工具を駆動可能なバッテリ２００ａを流用することが好適である。このバッテリ２００ａが、本発明に係る「バッテリ」の一例である。
図１に示す通り、送風装置１０１は、バッテリ２００ａを装着するためのバッテリ受部２００を有する。バッテリ受部２００は、バッテリ２００ａからの電流を、導電線２２０を介して駆動モータ１７０に供給する。なお、導電線２２０は、一つの送風装置１０１に対し、一対の電線を有する構造とされている。バッテリ受部２００は、さらに、ベルト５１０に固定するための取付クリップ２１０を有する。取付クリップ２１０は、図６に基づき後述する、送風装置１０１のクリップ部１４３と同一の構造を有することも可能である。
図２は、複数種類の電動工具を駆動可能なバッテリ２００ａとバッテリ受部２００の説明図である。なお、図２においては便宜上、取付クリップ２１０の図示を省略する。バッテリ２００ａは、バッテリ受部２００に対し着脱自在に形成されている。図２は、バッテリ２００ａがバッテリ受部２００に取り付けられている状態を示す。この状態において、バッテリ２００ａとバッテリ受部２００とは、ロック機構（図示せず）により固定されている。ロック機構は、押圧部２４０を押圧されている間、バッテリ２００ａとバッテリ受部２００のロック状態を解除するよう構成される。この構成により、使用者が押圧部２４０を押圧操作しながらバッテリ２００ａを取外し方向２００ｂへと引き抜くことにより、バッテリ２００ａをバッテリ受部２００から取り外すことができる。なお、バッテリ２００ａをバッテリ受部２００に装着する際には、使用者が、バッテリ２００ａをバッテリ受部２００の所定位置に合わせ、装着方向２００ｃに移動させる。これにより、ロック機構がバッテリ２００ａとバッテリ受部２００とを固定する。なお、バッテリ２００ａとバッテリ受部２００を摺動可能とするために、バッテリ２００ａには取外し方向２００ｂ（装着方向２００ｃ）に延在する凸部が設けられ、バッテリ受部２００には当該凸部を受ける凹溝が設けられる。便宜上、バッテリ２００ａの凸部と、バッテリ受部２００の凹溝の図示は省略する。
【００３５】
（送風装置）
図３〜図６に基づき、第１実施形態に係る送風装置１０１の詳細な構造を説明する。図３は、使用者３００のベルト５１０に送風装置１０１を取付けた状態の斜視図、図４は図３における正面図、図５は図３におけるＩ−Ｉ線断面図、図５は図３におけるＩＩ−ＩＩ線断面図である。
図３に示す通り、送風装置１０１は本体部１０１ａを有し、本体部１０１ａは、ファンカバー１１０と、ファンハウジング１２０とを主体に構成される。ファンカバー１１０は、柱状部１１１を複数個有している。複数の柱状部１１１の内、隣接する柱状部１１１同士の間には、開放部１１２が形成される。
ファンハウジング１２０には、羽根部１３０と駆動モータ１７０とが収容される。
【００３６】
図４〜図６に示す通り、送風装置１０１において、羽根部１３０の回転軸方向を回転軸方向１００ｚとする。回転軸方向１００ｚと交差する方向を軸交差方向１００ｙとする。軸交差方向１００ｙは、高さ方向とも称される。回転軸方向１００ｚと、軸交差方向１００ｙのそれぞれと交差する方向を幅方向１００ｘとする。回転軸方向１００ｚと軸交差方向１００ｙと幅方向１００ｘとは、それぞれ直交する関係にある。
図４〜図６において、軸交差方向１００ｙは上下側を示す。図４において、幅方向１００ｘは左右側を示す。図５および図６において、回転軸方向１００ｚは左右側を示す。
【００３７】
図５が示す通り、ファンハウジング１２０は上側に臨むハウジング開口１２１を有する。使用者３００が冷却を所望する箇所は、脇３４０や首回り３５０など、腰よりも頭側である場合がある。このような場合、ハウジング開口１２１が上側に形成されていると、当該ハウジング開口１２１と、排出ダクト部１５０の第２開口１５２との間の距離を短くすることができる。すなわち、排出ダクト部１５０を短く形成することが可能となる。
【００３８】
図５に示す通り、排出ダクト部１５０は、周壁部１５４と、当該周壁部１５４に囲まれた領域である通路部１５３と、通路部１５３の一方側に形成される第１開口１５１と、通路部１５３の他方側に形成される第２開口１５２とを有する。
周壁部１５４は、蛇腹構造を有することができる。これにより、使用者３００の冷却所望領域と第２開口１５２との間の距離を、より自由に調整することが可能となる。
図５に示す通り、周璧部１５４は、第１延在部１５５と、第２延在部１５７と、第１延在部１５５と第２延在部１５７とを連結する連結部１５６とを有する。第１延在部１５５は、第１開口１５１を有する。第２延在部１５７は、第２開口１５２を有する。連結部１５６は、第１延在部１５５と第２延在部１５７との間における回転軸方向１００ｚの距離に亘り延在される。送風装置１０１は、後述する通り、ベルト５１０側に保持部１４０を有する。ハウジング開口１２１は、保持部１４０とファンカバー１１０との間に形成される。よって、ハウジング開口１２１は、回転軸方向１００ｚにおいて、着用者３００から離間した位置となる。しかし、上述した通り、排出ダクト部１５０が第１延在部１５５と、第２延在部１５７と、連結部１５６とを有する構成であるため、第２開口１５２を使用者３００に近接した位置に配置することが可能となる。
第１延在部１５５は、ハウジング開口１２１が形成される送風装置１０１の領域に対し、着脱自在に構成される。この送風装置１０１の領域は、後述する第２領域１４０ｂである。当該第２領域１４０ｂは、所定領域に凸部１４０ｃを有する。第１延在部１５５は、所定領域に凹部１５５ａを有する。すなわち、第２領域１４０ｂに第１延在部１５５を装着した場合には、凸部１４０ｃと凹部１５５ａとが嵌合する。これによって、本体部１０１ａと排出ダクト１５０とは係止される。なお、本体部１０１ａと排出ダクト１５０の係止構造は、さらに他の構成とすることが可能である。例えば、第２領域１４０ｂに凹部を設け、当該凹部に対応する第１延在部１５５の領域に凸部を設けることが可能である。
【００３９】
図３〜図６に示す通り、送風装置１０１は、送風装置固定具５００（ベルト５１０）に装着するための保持部１４０を有する。保持部１４０は、図６に示す通り、高さ方向１００ｙにおいてファンハウジング１２０から突出する領域を含む第１領域１４０ａを有する。また、保持部１４０は、図５に示す通り、排出ダクト１５０が接続される領域を含む第２領域１４０ｂを有する。
第１実施形態において、第１領域１４０ａと第２領域１４０ｂとは連続している。一方、第１領域１４０ａと第２領域１４０ｂとをそれぞれ独立して配置することも可能である。なお、図４に示す通り、第２領域１４０ｂが形成されている送風装置１０１における領域は、排出ダクト部１５０が形成されている領域に相当する。このため、送風装置１０１全体としては、第１領域１４０ａと排出ダクト部１５０とが幅方向１００ｘにおいて並列して配置されることとなる。この構成により、送風装置１０１は、回転軸方向１００ｚの長さを増加させること無く第１領域１４０ａと排出ダクト部１５０とを有することが可能となる。
【００４０】
図５に示す通り、第２領域１４０ｂは、ベルト５１０の一部が配置される溝部１４１を有する。図６に示す通り、第１領域１４０ａは、高さ方向１００ｙにおけるベルト５１０の所定領域が全て配置される貫通孔部１４２を有する。すなわち、溝部１４１および貫通孔部１４２にベルトを挿通させることにより、使用者３００はベルト５１０に送風装置１０１を取付けることができる。
なお、第１領域１４０ａの上側端部にはクリップ部１４３が取付ねじ１４３ａにより固定される。なお、第１領域１４０ａの上側には、取付ねじ１４３ａを受けるための孔部が形成されている。クリップ部１４３は、弾性を有する金属片により構成される。使用者３００は、クリップ部１４３と第１領域１４０ａにおける着用者３００側の領域との間において、ベルト５１０を挟持することにより、送風装置１０１をベルトに対して取付けることが可能となる。
すなわち、第１実施例に係る送風装置１０１は、保持部１４０として、ベルト５１０を「挿通する機能」を有する第１保持部と、ベルト５１０を「挟持する機能」を有する第２保持部とを備えるということができる。なお、送風装置１０１もしくはベルト５１０の構成次第によっては、貫通孔部１４２もしくはクリップ部１４３のいずれか一方のみを有する構成とすることが可能である。さらに、保持部１４０の第１領域１４０ａは「ベルト５１０を挿通する機能」と、「ベルト５１０を挟持する機能」に係るクリップ部１４３を取付けるための機能とを備えるということができる。なお、第１領域１４０ａにおける「クリップ部１４３を取付けるための機能」とは、取付ねじ１４３ａを受けるための孔部１４０ｄのことを示す。
なお、図５および図６から明らかな通り、羽根部１３０は保持部１４０と比して、使用者３００に対して離間する位置に配置される。したがって、送風装置１０１において比較的大きな重量を有するファンを、使用者に対して良好なバランスにて保持させることができる。
【００４１】
（送風装置１０１の動作）
次に、送風装置１０１の動作につき説明する。着用者３００は、まず送風装置１０１の保持部１４０を、送風装置固定具５００に装着する。具体的には、図５および図６に示す如く、溝部１４１および貫通孔部１４２にベルト５１０を挿通させる。なお、図６に示されるクリップ部１４３によりベルト５１０を挟持させることもできる。
そして使用者３００は、上着４１０を着用する。これにより、図５および図６に示す通り、排出ダクト部１５０は、着用者３００の下着４３０と上着４１０の間に配置される。なお、送風装置１０１の開放部１１２が上着４１０から露出した場合は、羽根吸入領域１３０ａの近傍にエアの吸入に対する障害物が無い状況となる、よって、送風装置１０１は、より良好なエアの吸入を行うことが可能となる。
図１に示す通り、羽根吸入領域１３０ａから吸入されたエアは、排出ノズル部１５０の第２開口１５２から排出される。これにより、使用者３００が冷却を所望する箇所が、送風装置１０１により冷却される。
【００４２】
（第２実施形態）
以下、本発明に係る第２実施形態につき、図７〜図１１に基づき説明する。なお、上述した第１実施形態と同一の部品、また同一の動作を行い得る部品については同一の符号を付し、その説明を省略することがある。
図７は、本発明の第２実施形態に係る送風装置１０２の使用状態を示す説明図である。送風装置１０２は使用者３００の背側３１０に取り付けられる。これにより、送風装置１０２は、使用者３００の作業の障害となることはない。一方、送風装置１０２を使用者３００の腹側３２０に取り付けることも可能である。
送風装置１０２は、吸入したエアを使用者３００に送出するために、送風装置固定具５００に取り付けられる。この送風装置１０２が、本発明に係る「送風装置」の一例であり、送風装置固定具５００が、本発明に係る「固定具」の一例である。
なお、送風装置１０２は、羽根部１３０と駆動モータ１７０とを収容する。駆動モータ１７０はバッテリ２００ａにより駆動される。これらの羽根部１３０、駆動モータ１７０およびバッテリ２００ａや、送風装置１０２とバッテリ２００ａとを接続する機構については、第１実施形態に係る送風装置１０１と同様であるため、その説明を省略する。
【００４３】
図８に示す通り、第２実施形態に係る送風装置固定具５００は、サスペンダ５２０により構成される。サスペンダ５２０は、使用者３００に着用される環状部５３０と、環状部５３０における使用者３００の背側領域５３１と腹側領域５３２とを使用者３００の肩部３３０を経由して連結する支持部５４０とを有する。この環状部５３０が、本発明に係る「環状部」の一例であり、支持部５４０が、本発明に係る「支持部」の一例であり、背側領域５３１が、本発明に係る「環状部第１領域」であり、腹側領域５３２が本発明に係る「環状部第２領域」の一例である。
環状部５３０は、使用者３００の胴体の周囲に延在する一方で、使用者３００もしくは衣服４００には直接的には固定されない。すなわち、環状部５３０は、支持部５４０に支持されることにより使用者３００に固定される。より具体的には、支持部５４０が使用者３００の肩部３３０から環状部５３０を吊下げることにより、環状部５３０は使用者３００の周囲における所定領域を包囲する。なお、サスペンダ５２０を使用者が着用した状態において、支持部５４０は、腹側領域５４０ａと、背側領域５４０ｂと、肩側領域５４０ｃとをそれぞれ構成する。
図８に示す通り、使用者３００は、サスペンダ５２０に送風装置１０２を装着した状態で、上着４１０を着用するのが好ましい。これによって、送風装置１０２からのエアが、使用者３００と上着４１０との間に供給されることにより、使用者３００における広範な領域が冷却されることとなる。
【００４４】
なお、支持部５４０は通常の衣服におけるサスペンダと同様の構成により、その長さを調整可能に構成することができる。このような構成により、サスペンダ５２０は、使用者に対する送風装置１０２の取付位置を任意の箇所に設定することができる。
また、図８における送風装置固定具５００は、環状部５３０に対し、二つの支持部５４０を有するサスペンダ５２０として説明した。一方、送風装置固定具５００の構成はこれに限らず、環状部５３０を吊下げることにより使用者３００の周囲に配置する構成であれば、種々の構成を採用することができる。例えば、一つの支持部５４０を有するとともに、当該支持部５４０の両端部を、環状部５３０の腹側領域５３２における任意の２カ所に接続する構成とすることができる。この場合、使用者３００は、支持部５４０を首回り３５０に配置することにより、環状部５３０を吊下げることが可能となる。
【００４５】
図７に示す通り、送風装置１０２は、吸入ダクト部１６０を有する。吸入ダクト部１６０は、第１開口１６１と第２開口１６２とを有する。この吸入ダクト部１６０が、本発明に係る「吸入ダクト部」の一例であり、第１開口１６１が、本発明に係る「吸入口」の一例である。
排出ダクト部１５０は、第２開口１６２が羽根吸入領域１３０ａに臨むように送風装置１０２に取り付けられる。よって、送風装置１０２は、羽根部１３０の回転駆動により第１開口１６１の近傍であるダクト吸入領域１６１ａから吸入したエアを、第２開口１６２および羽根吸入領域１３０ａを経由して、羽根排出領域１３０ｂから排出する。第２実施形態に係る送風装置１０２においては、ダクト吸入領域１６１ａが本発明に係る「第１領域」の一例であり、羽根排出領域１３０ｂが本発明に係る「第２領域」の一例である。
【００４６】
図７に示す通り、送風装置１０２は、使用者３００のサスペンダ５２０に装着される。そして、吸入ダクト１６０は、図７における下側（着用者３００の脚部側）に延出される。
この意味において、送風装置１０２は、所定の第１領域（ダクト吸入領域１６１ａ）からエアを吸入するとともに、第１領域（ダクト吸入領域１６１ａ）とは離間した領域である第２領域（羽根排出領域１３０ｂ）へとエアを送出するように構成されているということができる。また、送風装置１０２の羽根部１３０は、第１領域（ダクト吸入領域１６１ａ）側からエアを吸入するとともに、第２領域（羽根排出領域１３０ｂ）側へエアを送出するように構成されているということができる。
なお、第１開口１６１は、使用者３００がエアの吸入を所望する箇所に向けることができる。例えば、送風装置１０２に対し、複数種類の吸入ダクト１６０を着脱可能に形成することが可能である。
【００４７】
（送風装置）
図９〜図１１に基づき、第２実施形態に係る送風装置１０２の詳細な構造を説明する。図９は、使用者３００のサスペンダ５２０に送風装置１０２を取付けた状態の斜視図、図１０は図９における正面図、図１１は図１０におけるＩＩＩ−ＩＩＩ線断面図である。
図９に示す通り、送風装置１０２は本体部１０２ａを有し、本体部１０２ａは、ファンカバー１１０と、ファンハウジング１２０とを主体に構成される。ファンカバー１１０は、柱状部１１１を複数個有している。複数の柱状部１１１の内、隣接する柱状部１１１同士の間には、開放部１１２が形成される。
ファンハウジング１２０には、羽根部１３０と駆動モータ１７０とが収容される。
【００４８】
図９〜図１１に示す通り、送風装置１０２において、羽根部１３０の回転軸方向を回転軸方向１００ｚとする。回転軸方向１００ｚと交差する方向を軸交差方向１００ｙとする。軸交差方向１００ｙは、高さ方向とも称される。回転軸方向１００ｚと、軸交差方向１００ｙのそれぞれと交差する方向を幅方向１００ｘとする。回転軸方向１００ｚと軸交差方向１００ｙと幅方向１００ｘとは、それぞれ直交する関係にある。
図１０および図１１において、軸交差方向１００ｙは上下側を示す。図１０において、幅方向１００ｘは左右側を示す。図１１において、回転軸方向１００ｚは左右側を示す。
【００４９】
図１１に示す通り、羽根部１３０の回転に伴い、開放部１１２を通じてエアが排出される。すなわち、開放部１１２は、羽根排出領域１３０ｂを形成する。また、ファンハウジング１２０における使用者３００とは反対側（図１１における左側）は開放されており、羽根吸入領域１３０ａを形成する。
図１１に示す通り、吸入ダクト部１６０は、周壁部１６４と、当該周壁部１６４に囲まれた領域である通路部１６３と、通路部１６３の一方側に形成される第１開口１６１と、通路部１６３の他方側に形成される第２開口１６２とを有する。吸入ダクト部１６０における第２開口１６２を有する周璧部１６４の領域は、羽根吸入領域１３０ａが形成される送風装置１０２の領域に対し、着脱自在に構成される。
周壁部１６４は、蛇腹構造を有することができる。これにより、使用者３００がエアの吸入を所望する第１領域（ダクト吸入領域１６１ａ）と羽根排出領域１３０ｂとの間の距離を、より自由に調整することが可能となる。
【００５０】
図１１に示す通り、吸入ダクト１６０は、回転軸方向１００ｚと直交する軸交差方向１００ｙを含む領域に延出される。よって、羽根部１３０は、軸交差方向１００ｙの方向からエアを吸入することが可能となる。すなわち、サスペンダ５２０に送風装置１０２を装着した状態において、上着４１０から第１開口１６１を突出させることが可能となる。これにより、送風装置１０２は、第１開口１６１の周辺領域にエアの吸入の障害となるものが無い状況において、良好にエアを吸入することが可能となる。この際、吸入ダクト１６０が軸交差方向１００ｙに延出されているため、送風装置１０２における回転軸方向１００ｚの長さを抑えることができ、送風装置１０２を小型化することが可能となる。
なお、吸入ダクト１６０において、第１開口１６１の面積は、第２開口１６２の面積よりも大きく形成されている。すなわち、通路部１６３においては、第２開口１６２から第１開口１６１に向かうにつれて、その断面積が増大する構成となっている。このような構成により、第１開口１６１はより効率よくエアを吸入することが可能となる。
【００５１】
図１１に示す通り、送風装置１０２は、送風装置固定具５００（サスペンダ５２０）に装着するための保持部１４０を有する。保持部１４０は、吸入ダクト１６０における着用者３００側の領域に設けられた挿通部１４４により構成される。挿通部１４４は、吸入ダクト１６０の所定領域に設けられた挿通部形成体１４５と、挿通部形成体１４５と吸入ダクト１６０との間に形成された挿通孔１４６とにより構成される。
これにより、使用者３００は、サスペンダ５２０の環状部５３０を挿通孔１４６に挿通し、送風装置１０２をサスペンダ５２０に固定することができる。
この意味において、第２実施形態は「ダクト部に保持部１４０が構成される実施形態である」ということができる。これに対し、上述した第１実施形態は「本体部に保持部１４０が構成される実施形態である」ということができる。
なお、図１０および図１１から明らかな通り、羽根部１３０は保持部１４０よりも使用者３００の上側（頭側）に配置される。したがって、送風装置１０１において比較的大きな重量を有するファンの下側に保持部１４０が形成されているため、送風装置１０１は良好なバランスにて使用者に保持されることとなる。
【００５２】
（送風装置１０２の動作）
次に、送風装置１０２の動作につき説明する。着用者３００は、まず送風装置１０２の保持部１４０を、送風装置固定具５００に装着する。具体的には、図１１に示す如く、挿通孔１４４に環状部５３０を挿通させる。
そして使用者３００は、上着４１０を着用する。これにより、図１１に示す通り、羽根排出領域１３０ｂは、着用者３００の下着４３０と上着４１０の間に配置される。なお、吸入ダクト１６０の第１開口１６１が上着４１０から露出した場合は、ダクト吸入領域１６１ａの近傍にエアの吸入に対する障害物が無い状況となる、よって、送風装置１０２は、より良好なエアの吸入を行うことが可能となる。
図７に示す通り、第１開口１６１から吸入されたエアは、ファンカバー１１０の開放部１１２から排出される。これにより、使用者３００の上着４１０と下着４３０との間にエアが送出され、使用者３００が冷却される。
【００５３】
以上、図１〜図１１に基づき、本発明に係る第１実施形態および第２実施形態を説明した。一方、本発明に係る送風装置にあっては、上述した構成に限定されるものではなく、さらに変形例として他の構成を選択することが可能である。
また、第１実施形態および第２実施形態に係る構成を適宜組み合わせることも可能である。例えば、送風装置に対し、排出ダクト１５０と吸入ダクト１６０の双方を設けることも可能である。また、送風装置固定具５００への保持部１４０として説明した溝部１４１、貫通後部１４２、クリップ部１４３および挿通部１４４についても、送風装置固定具５００の形態に適応すべく、適宜組み合わせることが可能である。
【００５４】
（本実施形態の各構成要素と本発明の各構成要素の対応）
上述した実施形態における各構成要素と、本発明における各構成要素の対応関係を次の通り示す。
送風装置１０１、１０２は、本発明に係る「送風装置」の一例である。使用者３００は、本発明に係る「使用者」の一例である。ベルト５１０は、本発明に係る「ベルト」の一例である。衣服４００は、本発明に係る「衣服」の一例である。保持部１４０は、本発明に係る「保持部」の一例である。駆動モータ１７０は、本発明に係る「駆動モータ」の一例である。羽根部１３０は、本発明に係る「羽根部」の一例である。排出ダクト部１５０は、本発明に係る「排出ダクト部」の一例である。第２開口１５２は、本発明に係る「排出口」の一例である。羽根吸入領域１３０ａ、ダクト吸入領域１６１ａは、本発明に係る「第１領域」の一例である。ダクト排出領域１５２ａ、羽根排出領域１３０ｂは、本発明に係る「第２領域」の一例である。バッテリ２００ａは、本発明に係る「バッテリ」の一例である。送風装置固定具５００は、本発明に係る「固定具」の一例である。環状部５３０は、本発明に係る「環状部」の一例である。支持部３４０は、本発明に係る「支持部」の一例である。背側領域５３１は、本発明に係る「環状部第１領域」である。腹側領域５３２は、本発明に係る「環状部第２領域」の一例である。吸入ダクト部１６０は、本発明に係る「吸入ダクト部」の一例である。第１開口１６１は、本発明に係る「吸入口」の一例である。
【００５５】
以上の発明の趣旨に鑑み、本発明に係る送風装置は、下記の態様が構成可能である。
（態様１）
本発明の構成において、
「排出ダクト部は、送風装置に対して着脱自在に構成されていることを特徴とする。」
（態様２）
本発明の構成において、
「排出ダクト部は、伸縮可能に構成されていることを特徴とする。」
（態様３）
本発明の構成において、
「吸入ダクト部は、送風装置に対して着脱自在に構成されていることを特徴とする。」
（態様４）
本発明の構成において、
「吸入ダクト部は、伸縮可能に構成されていることを特徴とする。」
【符号の説明】
【００５６】
１０１、１０２  送風装置
１０１ａ、１０２ａ  本体部
１１０  ファンカバー
１１１  柱状部
１１２  開放部
１２０  ファンハウジング
１２１  ハウジング開口
１３０  羽根部
１３０ａ  羽根吸入領域（第１領域）
１３０ｂ  羽根排出領域（第２領域）
１４０  保持部
１４０ａ  第１領域
１４０ｂ  第２領域
１４０ｃ  凸部
１４０ｄ  孔部
１４１  溝部
１４２  貫通孔部
１４３  クリップ部
１４３ａ  取付ねじ
１４４  挿通部
１４５  挿通部形成体
１４６  挿通孔
１５０  排出ダクト部
１５１  第１開口
１５２  第２開口（排出口）
１５２ａ  ダクト排出領域（第２領域）
１５３  通路部
１５４  周壁部
１５５  第１延在部
１５５ａ  凹部
１５６  連結部
１５７  第２延在部
１６０  吸入ダクト部
１６１  第１開口
１６１ａ  ダクト吸入領域（第１領域）
１６２  第２開口
１６３  通路部
１６４  周壁部
１７０  駆動モータ
１００ｘ  幅方向
１００ｙ  軸交差方向
１００ｚ  回転軸方向
２００  バッテリ受部
２１０  取付クリップ
２２０  導電線
２３０  導電線接続部
２４０  押圧部
２００ａ  バッテリ
２００ｂ  取外し方向
２００ｃ  装着方向
３００  使用者
３１０  背側
３２０  腹側
３３０  肩部
３４０  脇
３５０  首回り
４００  衣服
４１０  上着
４２０  パンツ
４２１  ベルト装着部
４２２  帯状体
４３０  下着
５００  送風装置固定具
５１０  ベルト
５２０  サスペンダ
５３０  環状部
５３１  背側領域
５３２  腹側領域
５４０  支持部
５４０ａ  腹側領域
５４０ｂ  背側領域
５４０ｃ  肩側領域